(57)【要約】【課題】蓋の隙間から覗き込んで籠体の中の様子を確認する際に見ることのできる範囲を広げることが可能であり、ひいては籠体の見栄えを良くすることができる籠体を提供する。【解決手段】互いに適宜の間隔をあけて配置される複数の長尺の板状または棒状または線状の骨部分６を有する蓋１を備えた籠体Ｄであって、前記骨部分６を、外側ほど細くなるように形成してある。【選択図】      図１
2004350656.tif 000002
【特許請求の範囲】
【請求項１】
互いに適宜の間隔をあけて配置される複数の長尺の板状または棒状または線状の骨部分を有する蓋を備えた籠体であって、前記骨部分を、外側ほど細くなるように形成してあることを特徴とする籠体。
【請求項２】
前記骨部分が、蓋の中央部から周縁部にかけてほぼ放射状に延びるように設けられており、蓋の中央部の裏側には、各骨部分の中央側の端部の裏面を覆うように補強部分が設けられている請求項１に記載の籠体。
【請求項３】
前記蓋が合成樹脂製である請求項１または２に記載の籠体。
【発明の詳細な説明】
【０００１】
【発明の属する技術分野】
本発明は、例えば、小鳥やリス、二十日鼠などの小動物の飼育に用いられる網籠などの籠体に関する。
【０００２】
【従来の技術】
【特許文献１】実公平７−２４０４６号公報
上記特許文献１に示すように、例えば、小鳥の飼育に用いられる従来の籠体として、線状の骨部分を適宜の間隔をあけて配置してなる網状の蓋を有するものがあり、前記蓋は一般的に金属製である。
【０００３】
これに対して、本出願人は、前記蓋のデザインにバリエーションを持たせるべく、前記蓋を金属製ではなく合成樹脂製とすることを検討している。
【０００４】
【発明が解決しようとする課題】
しかし、前記蓋をそのまま合成樹脂製にすると、強度が低下するだけでなく、籠体の中の小鳥が骨部分を噛み切って外に逃げ出すおそれがあった。そこで、骨部分の径を大きく（太く）することが考えられるが、この場合には、蓋の隙間（骨部分間の隙間）から覗き込んで籠体の中の様子（状態）を確認する際に、太くなった骨部分が非常に邪魔になり、また、骨部分を太くしたことによって、蓋の見た目が重々しくなり、ひいては籠体の見栄えが悪くなるおそれがあった。
【０００５】
本発明は上述の事柄に留意してなされたもので、その目的は、蓋の隙間から覗き込んで籠体の中の様子を確認する際に見ることのできる範囲を広げることが可能であり、ひいては籠体の見栄えを良くすることができる籠体を提供することである。
【０００６】
【課題を解決するための手段】
上記目的を達成するために、本発明の籠体は、互いに適宜の間隔をあけて配置される複数の長尺の板状または棒状または線状の骨部分を有する蓋を備えた籠体であって、前記骨部分を、外側ほど細くなるように形成してある（請求項１）。
【０００７】
上記の構成からなる本発明では、蓋の隙間から覗き込んで籠体の中の様子を確認する際に見ることのできる範囲を広げることが可能であり、ひいては籠体の見栄えを良くすることができる籠体を提供することが可能となる。
【０００８】
すなわち、上記の構成からなる籠体では、蓋を構成する前記骨部分を、外側ほど細くなるように形成してあることから、そのように形成していない籠体に比して、蓋の隙間（骨部分間の隙間）から覗き込んで籠体の中の様子（状態）を確認する際に見ることのできる範囲が広がり、また、蓋の印象が洗練されたものとなり、ひいては籠体の見栄えが良くなることとなる。
【０００９】
また、前記骨部分が、蓋の中央部から周縁部にかけてほぼ放射状に延びるように設けられており、蓋の中央部の裏側には、各骨部分の中央側の端部の裏面を覆うように補強部分が設けられているとしてもよい（請求項２）。すなわち、前記籠体は例えば射出成形によって成形できるが、前記蓋の中央部において複数の骨部分の端部が密集した状態となるため、前記補強部分を設けていない場合には、蓋を型抜きする際に骨部分の中央側の端部付近が破損するおそれがあるが、本発明の籠体では、前記補強部分を設けてあることから、上記のような破損のおそれがなく、蓋を容易に製造することができる。
【００１０】
さらに、前記蓋が合成樹脂製であるとしてもよい（請求項３）。この場合には、蓋のデザインに容易にバリエーションを持たせることが可能となる。
【００１１】
【発明の実施の形態】
以下、本発明の実施の形態を図面に基づいて説明する。
図１は、本発明の一実施例に係る籠体Ｄの構成を概略的に示す斜視図である。籠体Ｄは、例えば、小鳥やリス、二十日鼠などの小動物の飼育に用いるのに適した網籠であり、外見が、上下に蓋および底を有するほぼ円筒状となっている。詳しくは、前記籠体Ｄは、蓋１と、網状で、かつ筒状（本実施例では円筒状）をしており、さらに、前記蓋１が上端部に着脱自在に固定される側壁２と、前記蓋１が固定された状態の側壁２を支持する支持台３とを有している。
【００１２】
図２および図３は、前記蓋１の構成を概略的に示す平面図および底面図である。
前記蓋１は、合成樹脂製であり、平面視円形状のほぼドーム状をしており、また、網状となるように形成されている。詳しくは、前記蓋１は、中央に設けられる中央壁部４と、周縁に設けられるほぼ環状の周縁壁部５と、前記中央壁部４から周縁壁部５に向けてほぼ放射状に延びるように設けられ、互いに適宜の間隔をあけて配置される複数の長尺の板状または棒状または線状の骨部分６と、環状で、各骨部分６とほぼ垂直に交叉するように配置され、前記骨部分６を補強する交叉部分７とを有する。
【００１３】
また、前記蓋１の中央部の裏側には、図３および図４に示すように、各骨部分６の中央側の端部の裏面を覆うように環状の補強部分８が設けられている。
【００１４】
前記中央壁部４は平面視ほぼ円形状をしており、その上面には、図１に示すように、フック部材４ａが固定される。
【００１５】
前記周縁壁部５は、前記骨部分６の周縁側の端部に連なる天壁部分５ａと、この天壁部分５ａの周縁から下方に向けて延びる側壁部分５ｂとを有している。そして、側壁部分５ｂの内面には、図５（Ａ）に示すように、前記側壁２の上端部２ａ（後述する）を係止させるための係止部５ｃが適宜の間隔をおいて複数（例えば、３〜４個）設けられている。前記係止部５ｃの内側の面は、下側ほど外側に近づくようなテーパ面に形成されており、これにより、前記側壁２の上端部２ａを係止部５ｃに係止させる作業をよりスムーズに行うことができる。
【００１６】
前記骨部分６は、図５（Ｂ）に示すように、外側（外面側）ほど細く（籠体Ｄの外側に向かって細く）なるように形成されている。本実施例の骨部分６は、板状をしており、平面視における左右の幅よりも側面視における上下の幅のほうが大きくなるように構成されている。
【００１７】
また、前記骨部分６の側面視は、単純な円弧状や直線状ではなく、複数の円弧部分と直線部分とを有する形状をしている。すなわち、前記骨部分６は合成樹脂製であるため、容易かつ自由にその形状を設定することが可能である。
【００１８】
前記交叉部分７は、前記中央壁部４から周縁壁部５に向けて適宜の間隔をおいて複数（本実施例では２つ）設けられている。
【００１９】
上記の構成からなる蓋１は、例えば、射出成形によって一体成形される。そして、前記蓋１の中央部において複数の骨部分６の端部が密集した状態となるため、前記補強部分８を設けていない場合には、蓋１を型抜きする際に骨部分６の中央側の端部付近が破損するおそれがあるが、本実施例の籠体Ｄでは、前記補強部分８を設けてあることから、上記のような破損のおそれがなく、蓋１を容易に製造することができる。
【００２０】
前記側壁２は、環状の上端部２ａおよび下端部２ｂと、上端部２ａおよび下端部２ｂの間に適宜の間隔をおいて配置される中間部２ｃと、上下方向に延びる複数の線状部２ｄとを有している。
【００２１】
前記支持台３は、平面視ほぼ円形状の底壁部３ａと、この底壁部３ａの周縁から上方に立ち上がったほぼ円筒状の側壁部３ｂとを有しており、側壁部３ｂの上部において、前記側壁２の下端部２ｂを保持するように構成されている。
【００２２】
図６は、前記籠体Ｄの変形例に係る籠体Ｄ２  の構成を概略的に示す斜視図、図７は、籠体Ｄ２  の蓋１の構成を概略的に示す斜視図である。
籠体Ｄ２  は、前記籠体Ｄに比して、外見が、上下に蓋および底を有するほぼ円筒状をしているのではなく、上下に蓋および底を有する角筒状をしており、また、蓋１の周縁部が側壁２よりも外側に突出してあたかも庇のようになっている点で主として異なる。
【００２３】
すなわち、前記籠体Ｄ２  の蓋１は、平面視円形状ではなく平面視矩形状のほぼドーム状をしている。それに伴って、前記中央壁部４は平面視ほぼ矩形状となっており、また、前記周縁壁部５および複数（２つ）の交叉部分７はそれぞれほぼ額縁状となっている。
【００２４】
また、複数の前記交叉部分７のうちの一つの内面には、前記周縁壁部５に設けられていた係止部５ｃと同様の構成からなる係止部（図示せず）が設けられ、この係止部に前記側壁２の上端部２ａを係止できるように構成されている。また、前記係止部が設けられる交叉部分７は、強度を高めるために他の交叉部分７よりも太く形成してある。
【００２５】
前記籠体Ｄ２  の蓋１の他の構成等については、籠体Ｄの蓋１と同様であることから、その説明は省略する。
【００２６】
前記籠体Ｄ２  の側壁２は、籠体Ｄの側壁２に比して、ほぼ円筒状ではなく角筒状となっており、また、上端部２ａ、下端部２ｂおよび中間部２ｃが、環状ではなくほぼ額縁状となっている点でのみ異なる。
【００２７】
前記籠体Ｄ２  の支持台３は、籠体Ｄの支持台３に比して、底壁部３ａの平面視が円形状ではなく矩形状となっており、また、側壁部３ｂが、円筒状ではなく角筒状となっている点でのみ異なる。
【００２８】
【発明の効果】
以上説明したように、この発明によれば、蓋の隙間から覗き込んで籠体の中の様子を確認する際に見ることのできる範囲を広げることが可能な籠体を提供することが可能となる。
【００２９】
すなわち、上記の構成からなる籠体では、蓋を構成する前記骨部分を、外側ほど細くなるように形成してあることから、そのように形成していない籠体に比して、蓋の隙間（骨部分間の隙間）から覗き込んで籠体の中の様子（状態）を確認する際に見ることのできる範囲が広がり、また、蓋の印象が洗練されたものとなり、ひいては籠体の見栄えが良くなることとなる。
【図面の簡単な説明】
【図１】本発明の一実施例に係る籠体の構成を概略的に示す斜視図である。
【図２】上記実施例における蓋の構成を概略的に示す平面図である。
【図３】上記実施例における蓋の構成を概略的に示す底面図である。
【図４】前記籠体の上部の構成を概略的に示す縦断面図である。
【図５】（Ａ）は、前記籠体の要部の構成を概略的に示す縦断面図、（Ｂ）は、上記実施例における骨部分の構成を概略的に示す縦断面図である。
【図６】変形例に係る籠体の構成を概略的に示す斜視図である。
【図７】籠体の蓋の構成を概略的に示す斜視図である。
【符号の説明】
１…蓋、６…骨部分、Ｄ…籠体。
【図１】
2004350656.tif 000003
【図２】
2004350656.tif 000004
【図３】
2004350656.tif 000005
【図４】
2004350656.tif 000006
【図５】
2004350656.tif 000007
【図６】
2004350656.tif 000008
【図７】
2004350656.tif 000009